(57)【要約】【課題】折り畳み携帯電話には高機能化の一方で薄型化又は軽量化が求められており、新機能のためのキーボタンを筐体の背面液晶の脇又は側面に新たに設置する余裕がなくなってきている。キーボタンを配置することはデザインの自由度を下げるだけでなく、筐体のサイズを大きくしてしまい、携帯電話としての商品性が下がってしまう恐れがある。【解決手段】携帯電子機器において、筐体と外部物体との接触音を音声入力マイクが検知し、音声入力マイクにより検知した接触音が所定の条件を満足するか判断する制御別部と、所定の条件を満足した場合に所定の動作を行う制御部とを備えている。【選択図】  図５
2008054103.tif 000002
【特許請求の範囲】
【請求項１】
筐体と、
前記筐体と外部物体との接触音を検知する音声入力マイクと、
前記音声入力マイクにより検知した前記接触音が所定の条件を満足するか判断する制御別部と、
前記所定の条件を満足した場合に所定の動作を行う制御部と、を備えることを特徴とする携帯電子機器。
【請求項２】
前記携帯電子機器は携帯電話であり、前記音声入力マイクは前記携帯電話の送話マイクであることを特徴とする請求項１の携帯電子機器。
【請求項３】
前記所定の条件又は前記所定の動作を前記携帯電子機器の利用者が設定可能であることを特徴とする請求項１又は２の携帯電子機器。
【請求項４】
検知開始設定がなされている場合に前記接触音の検知を行なうことを特徴とする請求項１乃至請求項３のいずれかの携帯電子機器。
【請求項５】
前記接触音を形成するための特定部位を１つ又は複数領域に備えていることを特徴とする請求項１乃至請求項４のいずれかの携帯電子機器。
【請求項６】
前記特定部位は凹又は凸部を有し、前記接触音が前記凹又は凸部と前記外部物体との接触音であることを特徴とする請求項５の携帯電子機器。
【請求項７】
前記特定部位は前記筐体に対し、異種材質を備え、前記接触音は前記異種材質と前記外部物体との接触音であることを特徴とする請求項５の携帯電子機器。
【請求項８】
携帯電子機器の制御方法であって、
筐体と外部物体との接触音を音声入力マイクで検知し、
前記音声入力マイクにより検知した前記接触音が所定の条件を満足するかを判断し、
前記所定の条件を満足した場合に所定の動作を行うことを特徴とする携帯電子機器の制御方法。
【請求項９】
前記携帯電子機器が携帯電話であり、
前記音声入力マイクが前記送話マイクであることを特徴とする請求項８の制御方法。
【請求項１０】
前記所定の条件又は前記所定の動作を、前記携帯電子機器又は前記携帯電話の利用者が設定することを特徴とする請求項８又は９の制御方法。
【請求項１１】
検知開始設定がなされている場合に前記接触音の検知を行なう請求項８乃至請求項１０のいずれかの制御方法。
【発明の詳細な説明】
【技術分野】
【０００１】
本発明は、操作の容易な携帯電子機器に関し、特に、操作の容易な携帯電話に関する。
【背景技術】
【０００２】
従来の携帯電話の主流となっている折り畳み携帯電話の正面図を図１に示す。折り畳み携帯電話１は情報が表示される液晶画面４を搭載している液晶側筐体２と、電話番号や文字を入力するためのキー操作部５が実装されているキー側筐体３に分けられる。折り畳み携帯電話１の利用者が通話をするとき、音声を電気信号に変換するマイクはキー側筐体３の内部に実装されており、音声を筐体内部に伝えるためのマイク穴６が設けられている。一方、電気信号を音声に変換するスピーカーは液晶側筐体２の内部に実装されており、音声を筐体外部に伝えるためのスピーカー穴７が設けられている。
【０００３】
この折り畳み携帯電話１は液晶側筐体２とキー側筐体３がヒンジ機構によって結合されている。図２は閉じた状態における正面図である。液晶側筐体２の背面にはカメラ８及び背面液晶画面９を備えている。
【０００４】
図３は折り畳み携帯電話１を閉じた状態の側面図である。近年の携帯電話は、カメラ撮影や音楽再生を初めとして、多くの機能を有している。これらの機能を容易に実行するため、筐体側面にはキーボタン１０が複数実装されている。例えばカメラ撮影機能なら起動又は撮影又はズーム機能等、音楽再生機能なら音量調整又は曲の変更等といった使い分けがキーボタン１０を用いてなされる。
【０００５】
キーボタンに代わる関連技術として、特許文献１では筐体と外部物体との接触音を検知し、所定の処理を実行する電子機器が示されている。
【０００６】
特許文献２には筐体を叩くと衝撃や振動のパターンを認識し、一致すると登録された情報が呼び出される携帯情報端末が示されている。
【０００７】
【特許文献１】特開平７−３３４１８５
【特許文献２】特開２０００−１６５４７７
【発明の開示】
【発明が解決しようとする課題】
【０００８】
最近の主流である折り畳み携帯電話においては、カメラ撮影や音楽再生といった機能は閉じた状態で実行されることが多い。これらの操作を閉じた状態でもできるように、筐体の背面液晶の脇又は側面にキーボタンを実装する必要があった。しかし、携帯電話には高機能化の一方で薄型化又は軽量化が求められており、新機能のためのキーボタンを新たに設置する余裕がなくなってきている。また、キーボタンを配置することはデザインの自由度を下げるだけでなく、筐体のサイズを大きくしてしまい、携帯電話としての商品性が下がってしまう恐れがあった。
【課題を解決するための手段】
【０００９】
本発明の携帯電子機器は筐体と外部物体との接触音を検知する音声入力マイクと、音声入力マイクにより検知した接触音が所定の条件を満足するか判断する制御別部と、所定の条件を満足した場合に所定の動作を行う制御部を備えている。
【００１０】
また、本発明の携帯電子機器は携帯電話であり、音声入力マイクは携帯電話の送話マイクであることもできる。
【００１１】
また、所定の条件又は所定の動作を前記携帯電子機器の利用者が設定することもできる。
【００１２】
また、検知開始設定がなされている場合に接触音の検知を行なうこともできる。
【００１３】
また、接触音を形成するための特定部位を１つ又は複数領域に備えることもできる。
【００１４】
また、特定部位は凹又は凸部を有し、前記接触音が前記凹又は凸部と前記外部物体との接触音であることもできる。
【００１５】
また、特定部位は前記筐体に対し、異種材質を備え、前記接触音は前記異種材質と前記外部物体との接触音であることもできる。
【００１６】
本発明の携帯電子機器の制御方法は筐体と外部物体との接触音を音声入力マイクで検知し、音声入力マイクにより検知した前記接触音が所定の条件を満足するかを判断し、前記所定の条件を満足した場合に所定の動作を行う。
【００１７】
また、本発明の携帯電子機器は携帯電話であり、音声入力マイクは前記送話マイクであることもできる。
【００１８】
また、所定の条件又は所定の動作を、利用者が設定することもできる。
【００１９】
また、検知開始設定がなされている場合に接触音の検知を行なうこともできる。
【発明の効果】
【００２０】
本発明では携帯電子機器に備え付けられた音声入力マイクが筐体と外部物体との接触音を検知し、所定の動作を行うことで、筐体のサイズを維持しつつ、予め設定された所定の機能動作を容易に行うことができる。また、キーボタン数の減少もしくは設置の必要が無くなるため、携帯電話全体のデザインの自由度が増す。また、キーボタン実装に必要な部品コストを削減することができる。
【発明を実施するための最良の形態】
【００２１】
次に本発明の実施の形態について図面を参照しながら説明する。しかしながら、かかる形態は本発明の技術的範囲を限定するものではない。
【００２２】
実施例１について図１及び図４乃至図６を用いて説明する。なお、図１は従来の折り畳み携帯電話の正面図であるが、本発明の実施例にも流用する。
【００２３】
図１中の断面Ａ−の拡大図を図４に示す。キー側筐体３は、主にプラスチックによって成型されるフロントケース１１とリアケース１２によって構成され、ネジ１３によって締結されている。また、キー側筐体３内部には、ＩＣ（Ｉｎｔｅｇｒａｔｅｄ  Ｃｉｒｃｕｉｔ）などの電気部品が搭載される基板１９がネジ１３によって、フロントケース１１に固定されている。折り畳み携帯電話１の利用者の音声を電気信号に変換するマイク１４はフロントケース１１と基板１９に挟まれることによって固定され、音声はマイク穴６を通じてマイク１４に伝わる。キー側筐体３には、キー操作部を構成する要素として、キートップ１５、ラバーシート１６、接着シート１７、ドーム接点１８も内蔵されている。
【００２４】
閉じた状態において、折り畳み携帯電話１の利用者がマイク１４近傍のフロントケース１１やリアケース１２を爪や指の関節などで、ノックするように叩き接触音を出す。図５は折り畳み携帯電話１の閉じた状態の正面図であり、接触音を出す位置は、例えば、図５中の点線の円で囲った範囲２０などである。しかし、マイク１４が接触音を検知できる範囲であれば、この位置に限るものではない。
【００２５】
図６は本実施例の形態の構成を示すブロック図である。従来の携帯電話ではキー入力部３０からの信号が制御部２５へ伝えられ、表示部２７又は機能部２８で所定の動作が行われていた。本実施例では接触音をマイク１４が検知し、その信号は折り畳み携帯電話１の制御別部２１へ送られる。制御別部２１は認識部２２と判別部２３から構成されている。認識部２２においてサンプリングした接触音の信号は判別部２３において所定の条件を満たすか判断される。判別部２３は記憶部２４を備えているので、折り畳み携帯電話１の利用者は、例えば接触音の信号や感度レベルといった所定の条件を登録しておくことが可能である。条件を満たした場合、制御部２５へ結果が伝えられ、表示部２７又は機能部２８において所定の動作を行う。制御部２５は記憶部２６を備えているので、折り畳み携帯電話１の利用者は接触音に対する機能動作を登録しておくことも可能である。また、マイク１４は折り畳み携帯電話１の送話マイクと共通であり、制御別部２１を介して音声送信部２９にも接続されている。
【００２６】
本発明では、携帯電話に従来から実装されているマイク１４が、外部物体との接触音を感知し、機能を実行する。例えば接触音形成部２０を３回叩いた場合にはカメラが起動し、４回叩いた場合には音楽再生が始まるといった動作を行うことができる。
【００２７】
実行される機能はカメラ撮影や音楽再生に限るものではない。利用者の設定によって携帯電話に備えられた様々な機能を実行することが可能である。
【００２８】
次に実施例２について図７を用いて説明する。本実施例では実施例１の形態に加え、認識開始ボタン３１が実装されている。実施例１では不意に折り畳み携帯電話１を叩いた場合、接触音を検知し、機能動作してしまう可能性がある。そこで、認識開始ボタン３１を押した後、又は押した状態でのみ接触音の検知が行われるようにする。これよって意図しない機能動作を防止することが可能となる。
【００２９】
次に実施例３について図８を用いて説明する。本実施例では実施例１の形態に加え、マイク近傍のフロントケース１１の開閉面下部に、「シボ」と呼ばれる小さな凹凸を金型により成型する。シボのある場所を折り畳み携帯電話１の利用者が爪等の先のとがった固いもので擦ると音が鳴る。その音を検知して、折り畳み携帯電話１の制御部に伝達し、機能動作することもできる。例えばこの場合、擦った距離の長短や、こすった方向を往復したときの回数などで、動作する機能をそれぞれ記憶させておけば、それだけ機能動作のバリエーションができる。
【００３０】
次に実施例４について図９を用いて説明する。本実施例では実施例１の形態に加え、シボに比べ大きな凹凸部をマイク付近に設けたものであり、複数の凹凸が並んだ形態となっている。ここを折り畳み携帯電話１の利用者が爪等の先のとがった固いもので横方向に擦ると一つの凹凸当たり１回の音が鳴る。そのため、どの位置から擦るかで音が鳴る回数が変化する。音の鳴る回数に対して動作する機能をそれぞれ記憶させておけば、それだけ機能動作のバリエーションができる。
【００３１】
次に実施例５について図１０を参照して説明する。本実施例では実施例４と同じ凹凸部を複数領域に設けたものである。ここではキー操作筐体３の下部だけでなく、液晶側筐体２の背面液晶画面９の横にも設けている。マイク１４で検知可能な領域にあれば凹凸部は筐体のどの部分にあってもよい。そのため、利用者の好みに合わせた位置で音を鳴らし、機能動作することが可能である。
【００３２】
次に実施例６について図１１を参照して説明する。本実施例では実施例４の形態に加え、マイク近傍のフロントケース１１の開閉面下部が筐体と異種材質で形成されている。音が鳴り易い、もしくは、音が伝わり易い材質を用いたほうが、マイク１４に届く音量が大きくなり、認識率が向上する。また、硬い材質を用いることで耐久性を向上することができる。例えば筐体はプラスチックで形成し、凹凸部のみ金属で形成する等である。この異種材質で形成される部位は図１１のように１つだけでなく、複数箇所に設けてもよく、この場合、実施例５と同様に利用者の好みに合わせた位置で音を鳴らし、機能動作することが可能である。
【００３３】
以上は折り畳み携帯電話を例にとって説明したが、携帯電子機器であれば、本発明の実施に支障はない。
【図面の簡単な説明】
【００３４】
【図１】従来例もしくは実施例１の折り畳み携帯電話の開いた状態の正面図である。
【図２】従来例の折り畳み携帯電話の閉じた状態の正面図である。
【図３】従来例の折り畳み携帯電話の閉じた状態での側面図である。
【図４】実施例１の折り畳み携帯電話のキー側筐体断面図である。
【図５】実施例１の接触音を出す領域を示す折り畳み携帯電話の正面図である。
【図６】実施例１の折り畳み携帯電話の構成を示すブロック図である。
【図７】実施例２のキー側筐体下部に認識開始ボタンを設けた折り畳み携帯電話の正面図である。
【図８】実施例３のキー側筐体下部にシボを設けた折り畳み携帯電話の正面図である。
【図９】実施例４のキー側筐体下部に凹凸部を設けた折り畳み携帯電話の正面図である。
【図１０】実施例５のキー側筐体下部及び背面液晶画面横に凹凸部を設けた折り畳み携帯電話の正面図である。
【図１１】実施例６のキー側筐体下部に筐体と異種材質で凹凸部を設けた折り畳み携帯電話の正面図である。
【符号の説明】
【００３５】
１  折り畳み携帯電話
２  液晶側筐体
３  キー側筐体
４  液晶画面
５  キー操作部
６  マイク穴
７  スピーカー穴
８  カメラ
９  背面液晶
１０  側面キーボタン
１１  フロントケース
１２  リアケース
１３  ネジ
１４  マイク
１５  キートップ
１６  ラバーシート
１７  接着シート
１８  ドーム接点
１９  基板
２０  接触音形成部
２１  制御別部
２２  認識部
２３  判別部
２４  記憶部
２５  制御部
２６  記憶部
２７  表示部
２８  機能部
２９  音声送信部
３０  キー入力部
３１  検知開始ボタン
３２  シボ形成部
３３  凹凸形成部
３４  背面液晶画面横凹凸形成部
３５  異種材質凹凸部
【図１】
2008054103.tif 000003
【図２】
2008054103.tif 000004
【図３】
2008054103.tif 000005
【図４】
2008054103.tif 000006
【図５】
2008054103.tif 000007
【図６】
2008054103.tif 000008
【図７】
2008054103.tif 000009
【図８】
2008054103.tif 000010
【図９】
2008054103.tif 000011
【図１０】
2008054103.tif 000012
【図１１】
2008054103.tif 000013